(57)【特許請求の範囲】
【請求項１】
瓦素地を傾斜状態で支持する支持体を備えた焼成用治具が設けられ、
焼成用治具の少なくとも一側から支持体へ向けて進退自在な押圧体が備えられ、
支持体の背面を押圧体を介して押圧する押圧手段が備えられたことを特徴とする焼成用治具の支持体の傾斜制御装置。
【請求項２】
瓦素地を傾斜状態で支持する支持体を備えた焼成用治具が設けられ、
焼成用治具の支持体の背面に向けて下降する押圧体が備えられ、
押圧体の下降に対応させて焼成用治具を支持体の背面側へ向けて水平移動させる水平移動手段が備えられたことを特徴とする焼成用治具の支持体の傾斜制御装置。
【発明の詳細な説明】
【０００１】
【発明が属する技術分野】
この発明は、瓦素地を載せるための焼成用治具に植設された支持体の傾斜状態を制御する焼成用治具の支持体の傾斜制御装置に関する。
【０００２】
【従来の技術】
例えば、Ｆ形粘土瓦の瓦素地Ｗは、図１１に示されるような耐火性材料で製造された焼成用治具２２に載置されて焼成されることがあった。
この焼成用治具２２は被焼成物である瓦素地Ｗの下面（尻）を受承する受台２４と、被焼成物の裏面を支持する支持体２６から構成されていた。
受台２４に備えられた支持体２６は、正面から見て団扇状の形態であって受台２４に傾斜状態に差し込まれていた。
したがって、瓦素地Ｗの尻を受台２４で受承させるとともに瓦素地Ｗの裏面を支持体２６にもたせ掛けるように支持させることにより、瓦素地Ｗを傾斜状態に列設するようにしたものであった。
【０００３】
ところが、焼成用治具２２に瓦素地Ｗを列設するために、いわゆる把持具などにより焼成用治具２２の各支持体２６間に瓦素地Ｗを挿入させるが、瓦素地Ｗの挿入時に瓦素地Ｗが支持体２６の上端に衝突することがあった。
【０００４】
瓦素地Ｗが支持体２６に衝突する原因は、瓦素地Ｗに生じた反りなどの変形、あるいは支持体２６に生じた反りなどの変形によるものであった。
その他に、図１１に示されるような支持体２６の傾斜状態のばらつきによる支持体２６の間隔の不均一性も衝突の原因となっていた（支持板２６の傾斜状態のばらつきは図面上実線と二点鎖線により表されている）。
【０００５】
通常、瓦素地Ｗが支持体２６に衝突した場合、瓦素地Ｗを把持している把持具が移載のための作動を停止するように図られているが、把持具の停止のみならず、一連の生産設備全体を停止せざるを得ないことが多く、瓦製品の生産性を大きく阻害するという問題があった。
【０００６】
【発明が解決しようとする課題】
この発明が解決しようとする課題は、瓦素地を焼成用治具へ移載する際に、支持体に生じた反りなどの変形、支持体の傾斜状態のばらつきなどにより、移載される瓦素地が焼成用治具の支持体に衝突する点にある。
【０００７】
この発明の目的は、瓦素地が焼成用治具の支持体に衝突することを抑制し、瓦素地をより確実に焼成用治具に列設させることができる焼成用治具の支持体の傾斜制御装置の提供にある。
【０００８】
【課題を解決するための手段および作用効果】
上記の目的を達成するため、請求項１記載の焼成用治具の支持体の傾斜制御装置は、瓦素地を傾斜状態で支持する支持体を備えた焼成用治具が設けられ、焼成用治具の少なくとも一側から支持体へ向けて進退自在な押圧体が備えられ、支持体の背面を押圧体を介して押圧する押圧手段が備えられたことを特徴とする。
【０００９】
また、請求項２記載の焼成用治具の支持体の傾斜制御装置は、瓦素地を傾斜状態で支持する支持体を備えた焼成用治具が設けられ、焼成用治具の支持体の背面に向けて下降する押圧体が備えられ、押圧体の下降に対応させて焼成用治具を支持体の背面側へ向けて水平移動させる水平移動手段が備えられたことを特徴とする。
【００１０】
請求項１記載の発明は、上記の構成であるから、瓦素地の移載前に、押圧手段を作動させることにより、押圧体が支持体の背面を押圧することができ、各支持体の互いの間隔を等しくかつ同じ傾斜角度に保つことができる。
【００１１】
請求項１記載の発明は以下の効果を奏する。
焼成用治具の支持体は、瓦素地の移載前に押圧手段および押圧体により支持体の背面から押圧され、各支持体が同じ傾斜角度に保たれ、支持体の傾斜状態のばらつきが解消され、各支持体間の間隔が正規の状態に制御されるので、移載する瓦素地をより確実に挿入できる。
したがって、支持体の傾斜状態のばらつきに起因する瓦素地と焼成用治具の支持体との衝突が解消され、瓦製品の生産性の低下を大幅に抑制することができる。
【００１２】
また、請求項２記載の発明は、上記の構成であるから、瓦素地の移載前に、押圧体を下降させ、押圧体が下降されたとき、水平移動手段により焼成用治具は支持体の背面に向けて移動され、その結果、押圧体が支持体の背面を押圧することができ、各支持体の互いの間隔を等しくかつ同じ傾斜角度に保つことができる。
【００１３】
請求項２記載の発明は以下の効果を奏する。
焼成用治具の支持体は、瓦素地の移載前に水平移動手段および下降する押圧体により支持体の背面から押圧され、各支持体が同じ傾斜角度に保たれるから、支持体の傾斜状態のばらつきが解消され、各支持体間の間隔が正規の状態に制御され、移載する瓦素地をより確実に挿入できる。
したがって、支持体の傾斜状態のばらつきに起因する瓦素地と焼成用治具の支持体との衝突が解消され、瓦製品の生産性の低下を大幅に抑制することができる。
【００１４】
【発明の実施の形態】
以下に図面を参照して発明の実施の形態を説明する。
図１は実施の形態に係る焼成用治具の支持体の傾斜制御装置を示す側面図、図２は同装置の正面図、図３および図４は焼成用治具の支持体の傾斜制御を示す説明図、図５は発明の別の実施の形態に係る焼成用治具の支持体の傾斜制御装置を示す側面図、図６は同装置の正面図、図７ないし図１０は焼成用治具の支持体の傾斜制御を示す説明図、図１１は支持体の不適切な傾斜状態を示す側面図である。
【００１５】
この実施の形態に係る焼成用治具の支持体の傾斜制御装置１０は、焼成用治具２２を搬送する焼成用治具コンベア１２の両側に備えられている。
該傾斜制御装置１０は好適な例として焼成用治具コンベア１２の両側に夫々設けられたもので、少なくとも焼成用治具コンベア１２の一側に備えられていることが必要である（図１、図２を参照）。
【００１６】
なお、瓦素地ＷはＦ形粘土瓦の桟瓦のためのものである。
焼成用治具コンベア１２の機台１４には多数の搬送ローラ１６が備えられており、焼成用治具２２を搭載した走行台車１８が搬送ローラ１６上を走行できるように図られている。
走行台車１８は焼成用治具２２を水平状態に搭載しているほか、焼成用治具コンベア１２の機台１４に備えられたストッパ（図示せず）により、所定の位置で停止できるようにされている。
【００１７】
焼成用治具２２は従来から知られた公知のものであり、瓦素地Ｗを焼成するための耐火材料から製造されたもので、瓦素地Ｗの尻を支持する受台２４と、瓦素地Ｗの裏面を支持する支持体２６から構成されている。
図示の実施の形態は、８枚の瓦素地Ｗを支持できるように８個の支持体２６が設けられている例である。
【００１８】
また、受台２４に差し込まれた支持体２６は常態で水平面と７０度の傾斜角度を保つことができるほか、支持体２６が受台２４に差し込まれた状態で支持体２６の背面を押圧すると支持体２６の傾斜角度が９０度付近まで制御できるように図られている。
【００１９】
一方、焼成用治具コンベア１２の機台１４には、ストッパにより停止される走行台車１８上の焼成用治具２２に対応させて、焼成用治具２２の支持体２６の傾斜制御装置１０が備えられている。
【００２０】
傾斜制御装置１０は、焼成用治具コンベア１２の機台１４の両側において、焼成用治具２２に向けて往復移動自在な第１の移動体２８、第１の移動体２８の駆動源である第１のエアシリンダ３０、第１の移動体２８に対して前後方向に往復移動自在の第２の移動体３２、第２の移動体３２の駆動源である第２のエアシリンダ３４、第２の移動体３２に設けられ、焼成用治具２２の支持体２６に対応させて設けられた押圧体３６から基本的に構成されている（図１、図２を参照）。
【００２１】
第１の移動体２８は、機台１４に設けられた第１レール３８により往復移動自在に図られており、機台１４に設けられた第１のエアシリンダ３０のロッド４０端は、第１の移動体２８に軸着されている。
第１のエアシリンダ３０の作動により、第１の移動体２８は焼成用治具２２に向けて往復移動を可能としている。
【００２２】
第１の移動体２８には前後方向に亘って第２レール４２が取り付けられており、第２レール４２に対して、第２の移動体３２が前後方向に往復移動自在に備えられている。
第１の移動体３２に備えられた第２のエアシリンダ３４のロッド４４の端は、第２の移動体３２と軸着されている。
【００２３】
この実施の形態における第２のエアシリンダ３４は、押圧手段に相当するものであり、第２のエアシリンダ３４の作動により、第２の移動体３２が第１の移動体２８に対して直角方向に向けて往復移動を可能としている。
【００２４】
第２の移動体３２には、機台１４の中心方向へ向けた押圧体３６が焼成用治具２２の支持体２６に対応するように設けられている。
押圧片３６は焼成用治具２２の支持体２６の背面の中央付近を押圧するためのものであり、この実施の形態では、焼成用治具２２の支持体２６の数と同数の８個が取り付けられている。
また、互いの押圧片３６の間隔は焼成用治具２２の支持体２６の間隔と同じものとなっている。
【００２５】
次に、この支持体の傾斜制御装置１０による支持体２６の傾斜制御について説明する。
空の焼成用治具２２を搭載した走行台車１８がストッパにより焼成用治具コンベア１２の所定の位置で停止される。
このとき、焼成用治具２２の支持体２６のうち、焼成用治具２２の受台２４に対して正規の傾斜状態に保たれていない支持体２６が存在するものとする。
【００２６】
また、第１のエアシリンダ３０および第２のエアシリンダ３４のロッド４０、４４は夫々後退しているものとする。
まず、第１のエアシリンダ３０が作動し、第１のエアシリンダ３０のロッド４０が前進して第１の移動体２８を焼成用治具２２へ向けて移動させる。
第１の移動体２８が焼成用治具２２へ向けて移動されると第２の移動体３２に設けられた各押圧体３６は各支持体２６の背面の中央付近を臨む位置に移動する（図３を参照）。
【００２７】
次いで、押圧手段である第２のエアシリンダ３４が作動し、第２のエアシリンダ３４のロッド４４が前進する。
第２のエアシリンダ３４のロッド４４の前進とともに第２の移動体３２が第１の移動体２８に対して移動するとともに、押圧体３６は支持体２６の背面に当接して押圧する。
【００２８】
このとき、支持体２６の受台２４に対する傾斜角度が小さい場合では、押圧体３６が支持体２６の中央付近を押圧することにより、各支持体２６の傾斜状態と同じ状態になるように支持体２６の傾斜を制御する。
この実施の形態では、押圧前の正規の状態の支持体２６の傾斜角度が７０度（図４において二点鎖線で表されている）であり、押圧体３６の押圧により支持体２６の傾斜角度が７５度（図４において実線で表されている）となるように設定されている。
【００２９】
そして、押圧体３６により各支持体２６の傾斜角度が７５度となって揃ったとき、押圧体３６は各支持体２６の傾斜状態を正規に保持させる。
次いで、図示しない把持具等により把持された瓦素地Ｗが各支持体２６間へ挿入され、焼成用治具２２に瓦素地Ｗが移載される。
【００３０】
焼成用治具２２への瓦素地Ｗの移載が完了すると、第２のエアシリンダ３４のロッド４４が後退し、第２の移動体３２が原位置へ復帰し、押圧体３６は支持体２６の裏面から離れる。
【００３１】
次いで、第１のエアシリンダ３０のロッド４０端が後退し、第１の移動体２８は焼成用治具２２から隔離され、押圧片３６が支持体２６と干渉しない位置へ復帰する。
なお、瓦素地Ｗの尻が支持体２６間に挿入された時点で押圧体３６による支持体２６の傾斜制御を解除してもよい。
支持体２６間に瓦素地Ｗの尻が挿入されておれば、その後の瓦素地Ｗの移載時に瓦素地Ｗと支持体２６とが衝突することがないためである。
【００３２】
傾斜制御装置１０の作動が終了すると、ストッパは解除され、瓦素地Ｗを列設した焼成用治具２２は走行台車２０の走行とともに次工程へ送られる。
【００３３】
このように、この発明の実施の形態に係る傾斜制御装置１０は、押圧手段および押圧体３６により支持体２６の背面の中央付近を押圧し、支持体２６の傾斜状態のばらつきを解消するから、焼成用治具２２の各支持体２６は適切な傾斜状態となる。
したがって、移載される瓦素地Ｗは各支持体２６間により確実に挿入されやすくなり、支持体２６の傾斜状態のばらつきに起因する瓦素地Ｗと焼成用治具２２の支持体２６との衝突が解消され、瓦製品の生産性を低下を大幅に抑制することができる。
【００３４】
次に図５〜図１０を参照して発明の別の実施の形態に係る焼成用治具の支持体の傾斜制御装置５０を説明する。
この実施の形態に係る焼成用治具の支持体の傾斜制御装置５０は、焼成用治具２２を搬送する焼成用治具コンベア５２に備えられた水平移動手段６２と、瓦素地Ｗの把持具６４に備えられた押圧ローラ６６から構成されている。
【００３５】
なお、瓦素地Ｗは、先に説明した実施の形態と同様にＦ形粘土瓦の桟瓦用のものである。
また、焼成用治具２２は先の実施の形態において説明したものと同じものであり、瓦素地Ｗの下端（尻）を支持する受台２４と、瓦素地Ｗの裏面を支持する支持体２６から構成されている。
【００３６】
焼成用治具コンベア５２の機台５４上に、ガイドレール８０が設けられている。
ガイドレール８０上には、ガイド部材７８を介して移動体６８が機台５４に対して水平方向へ移動自在に設けられている。
移動体６８は詳細を追って説明する水平移動手段６２の一部を構成するものであり、移動体６８には、前後一対のスプロケット５６、５６が２組備えられている。
【００３７】
前後一対のスプロケット５６、５６には無端チェーン５８が掛装され、焼成用治具２２を搭載した走行台車６０が無端チェーン５８上を走行できるように図られている。
焼成用治具２２が水平方向に搭載された走行台車６０は、水平移動手段６２に設けられたストッパ（図示せず）により、所定の位置で停止される。
【００３８】
さらに、焼成用治具コンベア５２の機台５４には、ストッパにより停止される走行台車６０上の焼成用治具２２に対応させて、焼成用治具２２をストッパとともに水平移動させることができる水平移動手段６２が備えられている。
水平移動手段６２は、焼成用治具コンベア５２の機台５４に対して水平移動自在な移動体６８、移動体６８に設けられたストッパ、カムローラ７０、カムローラ７０を規制する昇降自在な板カム７２、板カム７２の被ガイド体７４、板カム７２から上方へ向けて設けられた被押圧杆７６から基本的に構成されている。
【００３９】
図示しないストッパは、移動体６８の上面に設けられており、焼成用治具コンベア５２上の焼成用治具２２を所定の位置で停止させることができる。
【００４０】
昇降自在な板カム７２には略くの字状に湾曲されたガイド溝８２が設けられており、このガイド溝８２には連結杆７１を介して移動体６８に設けられたカムローラ７０が嵌装されている。
したがって、昇降自在な板カム７２が降下されることにより、板カム７２のガイド溝８２に嵌装されているカムローラ７０はガイド溝８２の規制を受けつつガイド溝８２の設定に誘導され、連結杆７１を介して移動体６８の水平方向の移動を制御する。
【００４１】
なお、機台５４に垂直方向に設けられた被ガイド体７４は、板カム７２に対して摺動自在に設けられることにより、板カム７２が昇降できるように図られている。  また、板カム７２には上方に向けて被押圧杆７６が設けられることにより、追って説明する昇降自在な把持具６４の下降作用を被押圧杆７６に及ぼし、被押圧杆７６を介して板カム７２を駆動するようにしている。
【００４２】
したがって、把持具６４に設けられた押圧杆８６が下降することにより、被押圧杆７６を押圧し、板カム７２が降下する。
このように、この実施の形態では、把持具６４の下降作用を利用した水平移動手段６２が採用されている。
【００４３】
次に、押圧ローラ６６について説明する。
押圧ローラ６６は押圧体の一形態であって好ましい例である。
ストッパにより停止される走行台車６０上の焼成用治具２２の上方には、把持具６４が昇降自在に設けられている。
把持具６４を構成する一対の開閉自在な挟持板８４、８４が焼成用治具２２に向けて垂設され、その下端付近には内側に向けて突設された部材を介して回動自在な７個の押圧ローラ６６が設けられている。
【００４４】
これらの押圧ローラ６６は把持具６４の下降に追従して下降するものであるが、先に説明した水平移動手段６２の作用により、焼成用治具２２が支持体２６の背面に向けて水平移動すると、押圧ローラ６６が支持体２６の背面に当接し、支持体２６を押圧することができるように図られている。
【００４５】
押圧ローラ６６の上方であって、両側の挟持板８４、８４の内側には瓦素地Ｗを両側から挟持した際に傷を付けないようにするため、緩衝部材８８，８８が夫々設けられている。
また、押圧ローラ６６と緩衝部材８８との間には把持された瓦素地Ｗの落下防止のため、係止爪９０が内側に向けて把持具６４に張設されている。
【００４６】
この実施の形態の該装置５０では、常態で７０度の傾斜角度を保っている支持体２６の傾斜角度を７５度程度まで制御できるようにしている。
【００４７】
なお、この実施の形態の該装置５０では、７個の押圧ローラ６６により７枚の支持体２６の傾斜角度を制御するようにしているが、焼成用治具２２の他側の支持体２６の傾斜角度の制御は瓦素地Ｗの挿入時に必要性がないためしないように図られている。
【００４８】
この実施の形態では、瓦素地Ｗの把持具６４に押圧ローラ６６が設けられていることから、支持体２６の傾斜制御を行い、引き続いて瓦素地Ｗの焼成用治具２２への挿入を行うことができるように図られている。
【００４９】
次に、この実施の形態に係る焼成用治具の支持体の傾斜制御装置５０による支持体２６の傾斜制御について説明する。
空の焼成用治具２２を搭載した走行台車６０がストッパにより、焼成用治具コンベア５２の所定の位置で停止される。
このとき、焼成用治具２２の支持体２６には、傾斜状態が正規でないものが存在するものとする。
【００５０】
瓦素地Ｗを把持した把持具６４が焼成用治具２２の上方に移動する。
次に、把持具６４が焼成用治具２２に向けて降下する。
把持具６４が下降することにより、把持具６４に設けられた押圧ローラ６６が下降し、押圧ローラ６６が焼成用治具２２の支持体２６に接近する。
【００５１】
他方、把持具６４に設けられた押圧杆８６も下降することにより、板カム７２に支承された昇降自在な被押圧杆７６に当接する。
引き続き把持具６４が下降することにより、押圧杆８６も下降し、さらに被押圧杆７６を押圧する。
【００５２】
被押圧杆７６が押圧されることにより、板カム７２が下降し、板カム７２のガイド溝８２の形状に従ってカムローラ７０が誘導される。
板カム７２の上下方向の運動がガイド溝８２により誘導されるその結果、カムローラ７０は水平方向の運動に変化される。
そこで、連結杆７１を介してカムローラ７０に連結された移動体６８は他側に向けて水平方向に移動する。
【００５３】
移動体６８が他側に向けて移動することにより、焼成用治具２２は走行台車６０とともに水平方向に移動される（図８を参照）。
焼成用治具２２の水平方向への移動と押圧ローラ６６の下降に伴い、押圧ローラ６６は支持体２６の背面に徐々に接近し、遂に当接する。
【００５４】
把持具６４の下降に追従して前記したように、移動体６８は板カム７２やガイド溝８２などの制御により、さらに水平方向に移動されるから、この移動に伴い焼成用治具２２もさらに移動する。
【００５５】
このとき、焼成用治具２２は水平方向へ移動するものの、支持体２６の背面は徐々に下降する押圧ローラ６６により押圧され、正規の傾斜角度に比較して傾斜角度がやや小さかったものが、徐々に調整されその角度が大きくなる（図８を参照）
【００５６】
そして、他側の支持体２６を除き、全ての支持体２６の傾斜角度が押圧ローラ６６の制御により正規の７５度に確保される。
支持体２６の傾斜角度を７５度に確保した状態を保ちつつ、把持具６４をさらに下降させることにより、瓦素地Ｗの下端（尻）が支持体２６間に挿入される（図９を参照）。
【００５７】
次いで、把持具６４により把持された瓦素地Ｗの全体が各支持体２６間へ挿入され、瓦素地Ｗは焼成用治具２２へ移載される。
このとき、押圧ローラ６６は支持体２６から開放され、支持体２６は押圧ローラ６６による規制の解除を受け、瓦素地Ｗおよび支持体２６の自重により常態（傾斜角度７０度）に復帰している。
【００５８】
そして、空の把持具６４が上昇し、次の瓦素地Ｗの移載と焼成用治具２２の支持体２６の傾斜状態の制御に備えられる。
該装置５０の作動が終了すると、ストッパは解除され、瓦素地Ｗを列設した焼成用治具２２は走行台車６０の走行とともに次工程へ送られる。
【００５９】
このように、焼成用治具の支持体２６は、瓦素地の移載前に押圧手段および押圧ローラ６６により支持体２６の背面の上端から中央付近を押圧されることにより、各支持体２６を正規の同じ傾斜角度に保つことができるから、支持体の傾斜状態のばらつきを解消できる。
したがって、各支持体２６間の間隔を正規の状態に制御できるので、移載する瓦素地Ｗをより確実に挿入できる。
また、支持体２６の傾斜状態のばらつきに起因する瓦素地Ｗと焼成用治具２２の支持体２６との衝突が解消され、瓦製品の生産性の低下を大幅に抑制することができる
。
【００６０】
そして、この実施の形態の支持体の傾斜制御装置５０によれば、押圧ローラ６６による支持体２６の傾斜制御に引き続いて瓦素地の焼成用治具２２への移載が実施されるから、一連の作業が短時間となる。
また、押圧ローラ６６により支持体２６に対する傾斜制御は円滑となり、支持体２６を損傷させることがない。
【図面の簡単な説明】
【図１】実施の形態に係る焼成用治具の支持体の傾斜制御装置を示す側面図である。
【図２】同装置の正面図である。
【図３】支持体の傾斜制御を示す説明図である。
【図４】支持体の傾斜制御を示す説明図である。
【図５】別の実施の形態に係る焼成用治具の支持体の傾斜制御装置を示す側面図である。
【図６】別の同装置の正面図である。
【図７】焼成用治具の支持体が傾斜制御される前の状態を示す説明図である。
【図８】焼成用治具の支持体が傾斜制御されている状態を示す説明図である。
【図９】傾斜制御された支持体間に瓦素地が挿入されている状態を示す説明図である。
【図１０】焼成用治具に瓦素地が移載された状態を示す説明図である。
【図１１】支持体の不適切な傾斜状態の一例を示す側面図である。
【符号の説明】
１０  支持体の傾斜制御装置
１２  焼成用治具コンベア
１４  機台
１６  搬送ローラ
１８  走行台車
２２  焼成用治具
２４  受台
２６  支持体
２８  第１の移動体
３０  第１のエアシリンダ
３２  第２の移動体
３４  第２のエアシリンダ
３６  押圧体
３８  第１レール
４０  ロッド（第１のエアシリンダ）
４２  第２レール
４４  ロッド（第２のエアシリンダ）
５０  支持体の傾斜制御装置
５２  焼成用治具コンベア
５４  機台
５６  スプロケット
５８  無端チェーン
６０  走行台車
６２  水平移動手段
６４  把持具
６６  押圧ローラ
６８  移動体
７０  カムローラ
７１  連結杆
７２  板カム
７４  被ガイド体
７６  被押圧体
７８  ガイド部材
８０  ガイドレール
８２  カム溝
８４  挟持板
８６  押圧体
８８  緩衝部材
９０  係止爪
【図１】
0003700080.tif 000002
【図２】
0003700080.tif 000003
【図３】
0003700080.tif 000004
【図４】
0003700080.tif 000005
【図５】
0003700080.tif 000006
【図６】
0003700080.tif 000007
【図７】
0003700080.tif 000008
【図８】
0003700080.tif 000009
【図９】
0003700080.tif 000010
【図１０】
0003700080.tif 000011
【図１１】
0003700080.tif 000012